(57)【特許請求の範囲】
【請求項１】
採風窓の開放角度を規制する採風窓用角度規制装置を構成する規制アームの係合を解除する採風窓用ロック解除装置であり、この採風窓用ロック解除装置Ｘは、窓枠の一端部に固着され、かつ、側壁に規制アーム用抜脱・差込み口が形成された取付けボックス１１を備え、この取付けボックス１１の内部には、規制アームロック用の枢支軸１８を案内する固定の係合片２５と、この係合片２５の水平長板台部２６の上面に固定的に横設されかつ作動杆３９の先端部に枢支軸１８用の枠状ストッパー片４１を一体的に備えた電気的駆動体３５と、同じく水平長板台部２６に固定されかつストッパー片４１の切欠部４３にバネ支持端部３８が入り込むバネ支持片３６と、バネ支持端部３８に一端部が支持された状態で作動杆３９を収縮方向へ付勢する第１バネ部材４８と、規制アーム８の他端部８ｂと係合しているロック用枢支軸１８のロックを解消させる第２バネ部材４９とがそれぞれ配設され、電気的駆動体３５の非通電時に於いて、第１バネ部材４８のバネ力によりストッパー片４１が作動杆３９と共にストッパーを解除する方向へ移動すると、枢支軸１８は第２バネ部材４９のバネ力により、規制アーム８の他端部８ｂのロックを解消させる方向へ自動的に移動することを特徴とする採風窓用ロック解除装置。
【請求項２】
請求項１に於いて、バネ支持片３６のバネ端支持部３８は、電気的駆動体３５に固定された取付け板部３７の一端部に連なって上方に鉤状に折曲形成されていることを特徴とする採風窓用ロック解除装置。
【請求項３】
請求項１に於いて、ストッパー片４１には、取付けボックス１１の上壁１７の内面と摺接する対向摺接部４６、４６が設けられていることを特徴とする採風窓用ロック解除装置。
【発明の詳細な説明】
【０００１】
【発明の属する技術分野】
本発明は、採風窓用ロック解除装置に関する。
【０００２】
【従来の技術】
普通一般に、採風窓は建物の踊り場或いはビルデングの室内の窓枠に蝶番、規制アーム等を介して所定の角度まで開放することができるように取付けられている。この種の採風窓には、危険防止の意味合いから、人の腰の高さ以上の所に、風を室内に採り入れるために設けられ、かつ、採風窓の開放角度を規制する規制アームを備えた採風窓用角度規制装置が適宜に装着されている。
【０００３】
ところで、採風窓用角度規制装置には、現在、色々な構造の物が見受けられるが、共通して言える構成は、前記規制アームの一端部が採風窓の框（例えば下框）に軸支され、一方、その他端部は窓枠（例えば一端部）に軸支されている点である。つまり、採風窓は、普段使用している場合には、所定の角度まで開放することはできるが、緊急事態が発生した場合には、規制アームの両端部が枢軸でそれぞれ軸着されているために容易に全開することができない。
【０００４】
そこで、現在、火事、地震等の緊急事態が発生した場合に於いて、採風窓用角度規制装置が装備された採風窓を直ちに全開することができる採風窓用ロック解除装置の出現が要望されている。
【０００５】
【発明が解決しようとする課題】
本発明は以上のような従来の要望点に鑑み、第１の目的は、火事、地震等の緊急事態が発生した場合に於いて、規制アームを有する採風窓用角度規制装置が装備された採風窓を直ちに全開することができる採風窓用ロック解除装置を提供することである。具体的には電気的駆動体が非通電状態になった場合に、規制アームのロック状態を自動的に解除することである。第２の目的は、規制アームのロック状態が解除した後に、電気的駆動体が普通（通電）の状態に戻った場合に於いて、規制アームを操作部材に対するワンタッチ操作で自動的にロック状態にすることができることである。第３の目的は、ロック解除装置を構成する各部材の組込みが容易であり、また各部材がスムースに作動することである。
【０００６】
【課題を解決するための手段】
本発明の採風窓用ロック解除装置は、採風窓の開放角度を規制する採風窓用角度規制装置を構成する規制アームの係合を解除する採風窓用ロック解除装置であり、この採風窓用ロック解除装置Ｘは、窓枠の一端部に固着され、かつ、側壁に規制アーム用抜脱・差込み口が形成された取付けボックス１１を備え、この取付けボックス１１の内部には、規制アームロック用の枢支軸１８を案内する固定の係合片２５と、この係合片２５の水平長板台部２６の上面に固定的に横設されかつ作動杆３９の先端部に枢支軸１８用の枠状ストッパー片４１を一体的に備えた電気的駆動体３５と、同じく水平長板台部２６に固定されかつストッパー片４１の切欠部４３にバネ支持端部３８が入り込むバネ支持片３６と、バネ支持端部３８に一端部が支持された状態で作動杆３９を収縮方向へ付勢する第１バネ部材４８と、規制アーム８の他端部８ｂと係合しているロック用枢支軸１８のロックを解消させる第２バネ部材４９とがそれぞれ配設され、電気的駆動体３５の非通電時に於いて、第１バネ部材４８のバネ力によりストッパー片４１が作動杆３９と共にストッパーを解除する方向へ移動すると、枢支軸１８は第２バネ部材４９のバネ力により、規制アーム８の他端部８ｂのロックを解消させる方向へ自動的に移動することを特徴とする。
【０００７】
上記構成に於いて、バネ支持片３６のバネ端支持部３８は、電気的駆動体３５に固定された取付け板部３７の一端部に連なって上方に鉤状に折曲形成されていることを特徴とする。また、ストッパー片４１には、取付けボックス１１の上壁１７の内面と摺接する対向摺接部４６、４６が設けられていることを特徴とする。
【０００８】
【発明の実施の形態】
図１乃至図９に示す本発明の一実施例を説明する。図１乃至図３は、発明の実施の形態を示す各説明図である。また図４乃至図９は、本発明の構成を示す各説明図である。そこで、まず図１乃至図３を参照に本発明の実施に関係する環境部材について説明する。
【０００９】
１は採風窓である。ここで「採風窓」とは、建物の窓枠に蝶番等を介して軸着され、風を室内に採り入れるために自由端部側から開放するものを言う。採風窓１は、普通一般にガラス板１ａと、矩形状の框１ｂとから成り、その一端部（枢着端部）側は蝶番２を介して金属製の窓枠３に軸着され、自由端部側から外方向に開放する。
【００１０】
４は採風窓１の框１ｂ、例えば下框の枢着端部寄りの部位に装着され、かつ、採風窓１の開放角度を規制する採風窓用角度規制装置である。この採風窓用角度規制装置４は、例えば框１ｂの内壁面に固定用ビスで固着され、かつ、水平案内長孔を有するアングル状の取付けガイド板５と、この取付けガイド板５の下面側に位置するように一端部が該取付けガイド板５に枢支ピンを介して軸支され、かつ、係合部、ストッハー部、操作用摘み部等を有するスライド係止片６と、一方、一端部側８ａが取付けガイド板５の上面側に位置すると共に前記水平案内長孔に臨み、かつ、該一端部側に水平案内長孔の内壁面並びにスライド係止片６の周壁面をそれぞれ同期的に摺接移行する摺動係合棒７を有する長板状の開放角度用規制アーム８と、前記スライド係止片６が係合棒７に常時圧接するように適宜に設けられたスライド係止片用付勢バネ９とを備えている。そして、前記開放角度用規制アーム８は、その中途部が坂状に形成されていると共に、他端部８ｂは以下に説明する採風窓用ロック解除装置Ｘを構成する取付けボック内に差し込まれ、かつ、ロック用枢支軸に係脱可能に軸支されている。
【００１１】
次に本発明の採風窓用ロック解除装置Ｘについて説明する。図４乃至図９に於いて、まず１１は下方の開口１２から内包に方形状の収納部を有する取付けボックスである。この取付けボックス１１は、長板状の取付けベース板１３、複数個のビス１４、これらのビスがそれぞれ入り込む貫通孔１５、１６を介して窓枠３の一端部に固着される。取付けボックス１１は、突片を有する普通一般のトロヨケ形状をしている。図６を基準にすると、取付けボックス１１の上壁１７端部には、ロック用枢支軸１８を案内する円形ガイド孔１９が形成されている。また周側壁を形成する一側壁（右側壁）２０には、開放角度用規制アーム８の他端部８ｂが抜けたり或いは差し込まれたりする抜脱・差込み口２１が切欠状に形成されている。この抜脱・差込み口２１は、開放角度用規制アーム８の他端部８ｂが自由に回転することができるように、本実施例では平面コ字型状を呈している。
【００１２】
次に２５は取付けベース板１３の上面に載置され、かつ、取付けボックス１１内に固定的に収納された長枠状係合部材或いは係合片である。この係合片２５の形状は任意に設計変更可能であるが、本実施例では一端面がチャンネル形状の水平長板台部２６と、この水平長板台部２６の一端部に連なって外方向にコ字型（図６を基準にすると逆コ字型）状に設けられた係合板部２７とから成り、前記係合板部２７の上下の対向壁２８、２９には、それぞれロック用枢支軸１８が係合する貫通状態の係合孔３０、３１が形成されている。したがって、上下の対向壁２８、２９の間は、抜脱・差込み口２１と連通し、かつ、開放角度用規制アーム８の他端部８ｂが余裕を持って入り込む嵌入空間３２と成っている。
【００１３】
次に３５は係合片２５の水平長板台部２６の上面に直接あるいは間接的に設けられた電気的駆動体（ソレノイド）である。この電気的駆動体３５は、本実施例では鉤状のバネ支持片３６を介し、横状態に水平長板台部２６に固設されている。バネ支持片３６は、固定部材であり、望ましくは電気的駆動体３５と一体的に設けられている。
【００１４】
しかして、バネ支持片３６は、長板状の取付け板部３７と、この取付け板部３７の一端部に連なって上方に鉤状に折曲形成されたバネ端支持部３８とから成り、前記バネ端支持部３８は、電気的駆動体３５の作動杆３９の突出端部に一体的に設けられたストッパー片用取付け部４０に対向している。
【００１５】
次に４１は電気的駆動体の作動杆３９に取付け部４０を介して水平状態に取付けられたストッパー片である。このストッパー片４１は、本実施例では前記取付け部４０の水平切欠溝にその一端部４１ａが差し込まれ、かつ、取付け部４０に形成された垂直方向の貫通孔や該ストッパー片４１の支持孔を貫通する止ピン４２を介して作動杆３９の取付け部４０に一体的に取付けられる。
【００１６】
しかして、ストッパー片４１は、矩形状の切欠部４３を有する水平係合枠部４４と、水平係合枠部４４の端部（ストッパー片４１の他端部）に連なって直角方向に延びた垂直ガイド部４５と、同じく水平係合枠部４４の両側端部にそれぞれ連なって直角方向に延び、かつ、取付けボックス１１の上壁１７の内面と摺接する対向摺接部４６、４６とから成る。そして、前記水平係合枠部４４の矩形状切欠部４３内には、前述したバネ支持片３６のバネ端支持部３８が入り込み、このバネ端支持部３８と電気的駆動体３５の作動杆３９側の取付け部４０には、第１バネ部材の一例としての押しバネ４８が適宜に介装されている。また前記垂直ガイド部４５は、ロック用枢支軸１８の外周壁の一部に当接し、垂直方向に移動する該ロック用枢支軸１８のガイド機能を果たしている。
【００１７】
ところで、ロック用枢支軸１８は、図５及び図８で示すように少くとも取付けボックス１１のガイド孔１９及び係合片２５の上方の係合孔３０に常時係合し、その中心部寄りの部位には、取付けボックス１１の上壁１７の内面と当接可能な鍔部１８ａが周設され、この鍔部１８ａと前記係合孔３０を有する上方対向壁２８との間には、第２バネ部材の一例としてのコイルバネ４９が設けられている。
【００１８】
上記構成に於いて、図４及び図５は、採風窓１を普段一般的に使用している場合の状態を示している。この時電気的駆動体３５は通電状態であり、その作動杆３９は第１バネ部材４８のバネ力に抗して伸長している。そこで、今仮に取付けボックス１１の上壁１７から突出しているロック用枢支軸１８の上端部１８ｂを指で押すと、ロック用枢支軸１８は、第２バネ部材４９のバネ力に抗して取付けボックス１１内に全体的に押し込まれ、その下端部１８ｃは開放角度用規制アーム８の他端部８ｂに形成された軸孔１０を貫通し、次いで係合片２５の下方係合孔３１に係合する。この時ストッパー片４１の垂直ガイド部４５に摺接する鍔部１８ａが前記水平係合枠部４４の下面の位置に達するや否や、第１バネ部材４８のバネ力により作動杆３９と共に水平移動（図４を基準にすると、右側に移動）したストッパー片４１は、ロック用枢支軸１８の鍔部１８ａを係止する。
【００１９】
したがって、ロック用枢支軸１８の下端部１８ｃにロックされた開放角度用規制アーム８は、取付けボックス１１から抜脱することができず、今仮に採風窓１を開いた場合には、採風窓１はロック用枢支軸１８を支点に所定角度まで回転開放する。
【００２０】
一方、図７及び図８は、例えば非常時（火事等）に電気的駆動体３５が非通電状態となった場合である。この時電気的駆動体３５の作動杆３９は、第１バネ部材４８のバネ力により収縮する。ストッパー片４１は、前述したように作動杆３９と共に水平移動するので、その水平係合枠部４４の先端部がロック用枢支軸１８の鍔部１８ａから離れる。そうすると、水平係合枠部４４が前記鍔部１８ａから離れるや否や、ロック用枢支軸１８は第２バネ部材４９のバネ力により上昇し、係合片２５の下方係合孔３１及び開放角度用規制アーム８の軸孔１０から離れる。そして、上昇したロック用枢支軸１８は、その鍔部１８ａが取付けボックス１１の内面に当接すると、所定の位置で停止する。この時ロック用枢支軸１８の上端部１８ｂは取付けボックス１１の上壁１９から突出し、後に開放角度用規制アーム８の他端部８ｂを抜脱・差込み口２１を介して取付けボックス１１内に差し込んだ場合、押し込み用操作部となる。
【００２１】
したがって、今仮に採風窓１を全開しようとして開けた場合には、図９で示すように開放角度用規制アーム８の他端部８ｂは取付けボックス１１の抜脱・差込み口２１から抜け、採風窓１の全開が可能に成る。
【００２２】
【実施例】
第１実施例に於いて、取付けボックス１１の抜脱・差込み口２１は、望ましくは平面コ字型状に形成すべきであるが、例えば平面アングル状に形成することもできる。またロック用枢支軸１８は、その鍔部１８ａを介してストッパー片４１と係脱するが、例えば鍔部１８ａに代えて係合溝であっても良い。
【００２３】
【発明の効果】
以上の説明から明らかなように、本発明にあっては次に列挙するような効果がある。
（１）火事、地震等の緊急事態が発生した場合に於いて、規制アームを有する採風窓用角度規制装置が装備された採風窓を直ちに全開することができる。すなわち、電気的駆動体が非通電状態になった場合に、ストッパー片が第１バネ部材のバネ力によりロック用枢支軸から離れるや否や、ロック用枢支軸が第２バネ部材のバネ力により上昇し、その結果、規制アームのロック状態が自動的に解除される。したがって、規制アームの他端部が取付けボックスから抜けることが可能となり、採風窓を直ちに全開することができる。
（２）規制アームのロック状態が解除した後に、電気的駆動体が普通（通電）の状態に戻った場合に於いて、規制アームを取付けボックスに差込み、かつ、操作部材（ロック用枢支軸）をプッシュすると、該規制アームは、いわゆるワンタッチ操作で自動的にロック状態になる。
（３）ロック解除装置を構成する各部材が合理的に構成されているので、各部材の組込みが容易であり、また各部材がスムースに作動する。
【図面の簡単な説明】
図１乃至図３は、発明の実施の形態を示す各説明図である。図４乃至図９は、本発明の一実施例を示す各説明図である。
【図１】室内側から見た正面図。
【図２】図１に於いて、平面から見た概略断面説明図。
【図３】図２の３−３線の要部を拡大した概略断面説明図。
【図４】採風窓を普段一般的に使用している場合の平面から見た一部切欠の説明図。
【図５】採風窓を普段一般的に使用している場合（図４と同様）の概略縦断面説明図。
【図６】各部材の分解斜視図。
【図７】非常時（非通電状態となった場合）の平面から見た一部切欠の説明図。
【図８】非常時（図７と同様）の概略縦断面説明図。
【図９】非常時に於いて、採風窓を全開しようとする場合の説明図。
【符号の説明】
１…採風窓、１ｂ…框、３…窓枠、４…採風窓用角度規制装置、８…規制アーム、８ｂ…他端部、１０…軸孔、Ｘ…採風窓用ロック解除装置、１１…取付けボックス、１２…開口、１７…上壁、１８…ロック用枢支軸、１９…ガイド孔、２０…一側壁、２１…規制アーム用抜脱・差込み口、２５…係合片、２６…水平長板部、２７…係合板部、３２…嵌入空間、３５…電気的駆動体、３６…バネ支持片、３９…作動杆、４０…取付け部、４１…ストッパー片、４８…第１バネ部材、４９…第２バネ部材。
【図１】
0003942260.tif 000002
【図２】
0003942260.tif 000003
【図３】
0003942260.tif 000004
【図４】
0003942260.tif 000005
【図５】
0003942260.tif 000006
【図６】
0003942260.tif 000007
【図７】
0003942260.tif 000008
【図８】
0003942260.tif 000009
【図９】
0003942260.tif 000010